(57)【要約】      （修正有）【課題】プロジェクターと信号源とを接続する場合のケーブルの数を減らす方法を提供する。【解決手段】プロジェクター１０は、画像信号の信号源であるＰＣ２０と一のＨＤＭＩ（High-Definition Multimedia Interface）ケーブル５０を介して接続されるインターフェース１０１と、ＰＣ２０からＨＤＭＩケーブル５０及びインターフェース１０１を介して画像信号を入力する画像信号入力手段１０２と、入力した画像信号に基づいて、投写面であるスクリーン４０に画像を投写する投写手段１０３と、スクリーン４０上における指示体３０の位置を検出する検出手段１０５と、検出手段１０５が検出した前記位置を表す位置情報を生成する生成手段１０６と、生成手段１０６が生成した位置情報を、インターフェース１０１を介してＨＤＭＩケーブル５０へ出力する位置情報出力手段１０７とを備える。【選択図】図２
2015195573.tif 000002
【特許請求の範囲】
【請求項１】
画像信号の信号源と一のケーブルを介して接続されるインターフェースと、
前記信号源から前記一のケーブル及び前記インターフェースを介して画像信号を入力する画像信号入力手段と、
前記入力した画像信号に基づいて、投写面に画像を投写する投写手段と、
前記投写面上における指示体の位置を検出する検出手段と、
前記検出手段が検出した前記位置を表す位置情報を生成する生成手段と、
前記生成手段が生成した位置情報を、前記インターフェースを介して前記一のケーブルへ出力する位置情報出力手段と
を備えるプロジェクター。
【請求項２】
前記位置情報出力手段は、
前記位置情報を含むパケットを生成して、前記インターフェースを介して前記一のケーブルへ出力する
ことを特徴とする請求項１に記載のプロジェクター。
【請求項３】
前記位置情報出力手段が出力するパケットを伝送する前記一のケーブルの信号線は、前記画像信号を伝送しない
ことを特徴とする請求項２に記載のプロジェクター。
【請求項４】
前記一のケーブルは、ＨＤＭＩ（High-Definition Multimedia Interface：登録商標）ケーブルである
ことを特徴とする請求項３に記載のプロジェクター。
【請求項５】
画像信号の信号源の筐体に設けられた第１のコネクターを接続するための第２のコネクターを有するインターフェースと、
前記信号源から前記第１のコネクター及び前記第２のコネクターを介して画像信号を入力する画像信号入力手段と、
前記入力した画像信号に基づいて、投写面に画像を投写する投写手段と、
前記投写面上における指示体の位置を検出する検出手段と、
前記検出手段が検出した前記位置を表す位置情報を生成する生成手段と、
前記生成手段が生成した位置情報を、前記第２のコネクターを介して出力する位置情報出力手段と
を備えるプロジェクター。
【請求項６】
前記位置情報出力手段は、
前記位置情報を含むパケットを生成して、前記第２のコネクターを介して出力する
ことを特徴とする請求項５に記載のプロジェクター。
【請求項７】
前記位置情報出力手段が出力するパケットを伝送する前記第２のコネクターの信号線は、前記画像信号を伝送しない
ことを特徴とする請求項６に記載のプロジェクター。
【請求項８】
前記第２のコネクターは、ＨＤＭＩの規格に準拠している
ことを特徴とする請求項７に記載のプロジェクター。
【請求項９】
ネットワークを介して前記信号源と接続する第２のインターフェースと、
前記位置情報を含むパケットを前記インターフェース又は前記第２のインターフェースのどちらを介して出力するかを選択するセレクターと
を備えることを特徴とする請求項２又は請求項７に記載のプロジェクター。
【発明の詳細な説明】
【技術分野】
【０００１】
本発明は、プロジェクターと信号源との接続に関する。
【背景技術】
【０００２】
投写画像に重ねてユーザーの手書きの画像を描画する機能や、当該投写画像に含まれるメニューをユーザーが操作可能にする機能を有するプロジェクターは、画像信号を当該プロジェクターに供給するＰＣ（Personal Computer）等の情報処理装置に対し、ユーザーが指示した投写面上の位置の情報を送信する。プロジェクターと情報処理装置とを有線で接続する場合、画像信号を伝送するケーブルと、位置の情報を伝送するケーブルとの少なくとも２本のケーブルが必要である。例えば特許文献１は、プロジェクターとＰＣとを、アナログ映像信号を伝送するＲＧＢケーブル、及び、ユーザーが指し示したスクリーン上の位置を示す座標データを伝送するＵＳＢ（Universal Serial Bus）ケーブルで接続することを開示している。
なお、特許文献２は、ＨＤＭＩ（High-Definition Multimedia Interface：登録商標）ケーブルのＨＥＣ（HDMI Ethernet Channel）を利用して、立体画像表示における視差情報を伝送することを開示している。特許文献３は、ＨＤＭＩケーブルのＴＭＤＳ（Transition Minimized Differential Signaling）チャネル及びＨＥＣを利用して、２画面表示を行うための画像データを送信することを開示している。
【先行技術文献】
【特許文献】
【０００３】
【特許文献１】特開２０１３−９７１７７号公報
【特許文献２】特開２０１１−１６６７５７号公報
【特許文献３】特開２０１１−８７１６２号公報
【発明の概要】
【発明が解決しようとする課題】
【０００４】
特許文献１に記載された技術では、プロジェクターとＰＣを有線接続する場合に２本のケーブルが必須となるので、ユーザーにとっては、ケーブルの接続の手間が強いられたり、接続後においてケーブルが邪魔になったりすることがあった。特許文献２及び特許文献３は、プロジェクターと情報処理装置との位置の情報の受け渡しについて開示していない。
本発明は、上述した事情に鑑みてなされたもので、その目的の一つは、プロジェクターと信号源とを接続する場合のケーブルの数を減らすことである。
【課題を解決するための手段】
【０００５】
上記目的を達成するために、本発明に係るプロジェクターは、画像信号の信号源と一のケーブルを介して接続されるインターフェースと、前記信号源から前記一のケーブル及び前記インターフェースを介して画像信号を入力する画像信号入力手段と、前記入力した画像信号に基づいて、投写面に画像を投写する投写手段と、前記投写面上における指示体の位置を検出する検出手段と、前記検出手段が検出した前記位置を表す位置情報を生成する生成手段と、前記生成手段が生成した位置情報を、前記インターフェースを介して前記一のケーブルへ出力する位置情報出力手段とを備える。
この発明によれば、プロジェクターと信号源とを有線接続する場合のケーブルの数を減らすことができる。
【０００６】
本発明において、前記位置情報出力手段は、前記位置情報を含むパケットを生成して、前記インターフェースを介して前記一のケーブルへ出力してもよい。
この発明によれば、パケット通信により位置情報を送信することができる。
【０００７】
本発明において、前記位置情報出力手段が出力するパケットを伝送する前記一のケーブルの信号線は、前記画像信号を伝送しなくてもよい。
この発明によれば、パケット通信により、画像信号を伝送する信号線とは別の信号線を用いて位置情報を送信することができる。
【０００８】
本発明において、前記一のケーブルは、ＨＤＭＩケーブルとしてもよい。
この発明によれば、映像信号及び位置情報を、ＨＥＣの機能を備えた単一のＨＤＭＩケーブルを介して送信することができる。
【０００９】
本発明に係る別の態様のプロジェクターは、画像信号の信号源の筐体に設けられた第１のコネクターを接続するための第２のコネクターを有するインターフェースと、前記信号源から前記第１のコネクター及び前記第２のコネクターを介して画像信号を入力する画像信号入力手段と、前記入力した画像信号に基づいて、投写面に画像を投写する投写手段と、前記投写面上における指示体の位置を検出する検出手段と、前記検出手段が検出した前記位置を表す位置情報を生成する生成手段と、前記生成手段が生成した位置情報を、前記第２のコネクターを介して出力する位置情報出力手段とを備える。
この発明によれば、プロジェクターと信号源とを接続する場合のケーブルの数を減らすことができる。
【００１０】
本発明において、前記位置情報出力手段は、前記位置情報を含むパケットを生成して、前記第２のコネクターを介して出力してもよい。
この発明によれば、パケット通信により位置情報を送信することができる。
【００１１】
本発明において、前記位置情報出力手段が出力するパケットを伝送する前記第２のコネクターの信号線は、前記画像信号を伝送しなくてもよい。
この発明によれば、パケット通信により、画像信号を伝送する信号線とは別の信号線を用いて位置情報を送信することができる。
【００１２】
本発明において、前記第２のコネクターは、ＨＤＭＩの規格に準拠してもよい。
この発明によれば、映像信号及び位置情報を、ＨＥＣの機能を備えた単一のＨＤＭＩコネクターを介して送信することができる。
【００１３】
本発明において、ネットワークを介して前記信号源と接続する第２のインターフェースと、前記位置情報を含むパケットを前記インターフェース又は前記第２のインターフェースのどちらを介して出力するかを選択するセレクターとを備えてもよい。
この発明によれば、位置情報を含むパケットを出力するためのインターフェースを選択することができる。
【図面の簡単な説明】
【００１４】
【図１】本発明の第１実施形態に係る投写システムの全体構成を示す図。
【図２】同実施形態に係る投写システムの機能構成を示すブロック図。
【図３】同実施形態に係る投写システムのハードウェア構成を示すブロック図。
【図４】本発明の第２実施形態に係る投写システムの全体構成を示す図。
【図５】同実施形態に係る投写システムの機能構成を示すブロック図。
【図６】本発明の第３実施形態に係る投写システムの全体構成を示す図。
【図７】同実施形態に係る投写システムの機能構成を示すブロック図。
【図８】従来構成に係る投写システムの構成を示すブロック図。
【発明を実施するための形態】
【００１５】
以下、本発明の実施の形態について図面を参照しつつ説明する。
［第１実施形態］
図１は、第１実施形態に係る投写システム１の全体構成を示す図である。投写システム１は、プロジェクター１０と、ＰＣ２０と、指示体３０とを備える。
プロジェクター１０は、ここでは液晶プロジェクターであり、ＰＣ２０から供給された画像信号に基づいて、スクリーン４０上に画像を投写する投写型表示装置である。プロジェクター１０は、例えばＲ（Red）、Ｇ（Green）、Ｂ（Blue）の三原色の各色成分に対応した入力画像を表す画像信号に基づいて、カラー画像を投写する。スクリーン４０は、ここでは反射型のスクリーンであり、プロジェクター１０により画像が投写される投写面である。
【００１６】
ＰＣ２０は、プロジェクター１０に供給される画像信号の信号源（映像ソース）となる情報処理装置である。ＰＣ２０は、単一（即ち１本）のＨＤＭＩケーブル５０を用いて、プロジェクター１０と有線で接続される。ＨＤＭＩケーブル５０は、ここではＨＥＣの機能を備えたＨＤＭＩケーブルである。ＨＤＭＩケーブル５０は、イーサネット（登録商標）のプロトコルを伝送可能にするＨＤＭＩケーブルである。
【００１７】
指示体３０は、ここではペン型のデバイス（操作デバイス）であり、スクリーン４０上（例えば投写画像上）の位置を指示するためにユーザーＵに使用される。指示体３０は、例えば、投写画像に重ねて文字や図形を手書きする操作を行うために、ユーザーＵにより使用される。また、指示体３０は、例えば、投写画像に含まれる操作可能なオブジェクト（例えば各種メニューやアイコン）を選択する操作を行うために、ユーザーＵにより使用される。指示体３０は、ペン型に限らず、棒形状等の他形状の操作デバイスであってもよい。
【００１８】
投写システム１において、プロジェクター１０とＰＣ２０との間で行われるデータの入出力は、ＨＤＭＩケーブル５０を介して行われる。
なお、プロジェクター１０及びＰＣ２０は、相互に無線接続して無線通信を行う機能を有してよいが、本実施形態では、無線通信を介したデータの入出力については考えないものとする。
【００１９】
図２は、投写システム１の機能構成を示すブロック図である。
ＰＣ２０は、画像信号供給手段２０１と、表示手段２０２と、インターフェース２０３と、変換手段２０４と、実行手段２０５とを備える。プロジェクター１０は、インターフェース１０１と、画像信号入力手段１０２と、投写手段１０３と、撮像手段１０４と、検出手段１０５と、生成手段１０６と、位置情報出力手段１０７とを備える。
【００２０】
ＰＣ２０において、画像信号供給手段２０１は、画像（映像）を表す画像信号を供給する手段である。画像信号供給手段２０１は、例えばＲ、Ｇ、Ｂの三原色の各色成分に対応した画像信号を、表示手段２０２及びインターフェース２０３の各々へ供給する。画像信号供給手段２０１は、例えば、ハードディスク装置等のＰＣ２０の内部記録媒体、又は、ＤＶＤ（Digital Versatile Disk）等のデータ記録メディアで例示される外部記録媒体から読み出したデータに基づいて画像信号を再生し、再生した画像信号を供給する。画像信号は、例えば、プレゼンテーション用の資料で例示される文書ファイルの画像や、動画像又は静止画像で例示される画像を表す画像信号であるが、画像信号が表す画像の内容については特に問わない。また、画像信号供給手段２０１は、実行手段２０５により手書きの画像の描画処理が行われた後の画像信号を、インターフェース２０３へ供給する。
【００２１】
表示手段２０２は、画像信号供給手段２０１又は実行手段２０５から供給された画像信号に基づいて、画像を表示する手段である。表示手段２０２が表示した画像は、ＰＣ２０を操作するユーザー（ユーザーＵ又はその他のユーザー）によって観察される。
【００２２】
インターフェース２０３は、プロジェクター１０にＨＤＭＩケーブル５０を介して接続されるインターフェースである。インターフェース２０３は、ＨＤＭＩ規格に準拠したデジタルインターフェースとしての機能を実現し、画像信号供給手段２０１から供給された画像信号を、ＨＤＭＩケーブル５０へ出力する。ＨＤＭＩケーブル５０は、インターフェース２０３から供給された画像信号を、プロジェクター１０へ伝送する。
【００２３】
プロジェクター１０において、インターフェース１０１は、ＰＣ２０にＨＤＭＩケーブル５０を介して接続されるインターフェースである。インターフェース１０１は、ＨＤＭＩ規格に準拠したデジタルインターフェースとしての機能を実現する。
画像信号入力手段１０２は、ＰＣ２０からＨＤＭＩケーブル５０及びインターフェース１０１を介して画像信号を入力する手段である。画像信号入力手段１０２は、ＰＣ２０からＨＤＭＩケーブル５０を介して入力された入力画像を表す画像信号を、投写手段１０３へ供給する。
【００２４】
投写手段１０３は、画像信号入力手段１０２に入力された画像信号に基づいて、スクリーン４０に画像を投写する手段である。
撮像手段１０４は、スクリーン４０を撮像して、投写画像を含む撮像画像を表す画像データ（即ち撮像データ）を生成する。指示体３０がスクリーン４０上における位置を指示している場合、撮像手段１０４は、投写画像及び指示体３０を含む撮像画像を表す撮像データを生成する。撮像手段１０４は、生成した撮像データを検出手段１０５へ供給する。
【００２５】
検出手段１０５は、スクリーン４０上における指示体３０の位置を検出する手段である。検出手段１０５は、撮像手段１０４から供給された撮像データを解析して、指示体３０の位置、より詳細には、図１の点Ｐに相当する指示体３０の先端の位置を検出する。そして、検出手段１０５は、スクリーン４０上（例えば実投写領域）における指示体３０の位置の座標を求める。
【００２６】
生成手段１０６は、検出手段１０５が検出した指示体３０の位置を表す座標情報を生成する手段である。生成手段１０６は、検出手段１０５が求めた座標の座標系を、座標変換パラメーターに基づいて、プロジェクター１０の入力画像の座標系に変換する。座標変換パラメーターは、入力画像における座標と、スクリーン４０上の領域における座標との対応関係を表すパラメーターである。生成手段１０６は、指示体３０の位置を表す位置情報として、座標系の変換後の座標情報（即ち座標形式の位置情報）を位置情報出力手段１０７へ供給する。
【００２７】
位置情報出力手段１０７は、生成手段１０６が生成した位置情報を、インターフェース１０１を介してＨＤＭＩケーブル５０へ出力する手段である。位置情報出力手段１０７は、供給された位置情報を含むパケットを生成して、ＨＤＭＩケーブル５０へ出力する。インターフェース１０１は、イーサネットの規格に基づいてデータの入出力を行う機能を有する。このため、インターフェース１０１は、パケット転送プロトコルをイーサネットプロトコルとして、イーサネットパケットを出力する。ＨＤＭＩケーブル５０は、インターフェース１０１から供給された位置情報を含むイーサネットパケットを、ＰＣ２０へ伝送する。
【００２８】
ＨＤＭＩケーブル５０は、イーサネットパケットを、イーサネットチャネルに対応した、画像信号とは別の信号線により伝送することができる。即ち、イーサネットパケットが伝送する信号線は、ＰＣ２０からプロジェクター１０へ供給される画像信号を含めて、画像を表す画像信号を伝送しなくてもよい。
【００２９】
ＰＣ２０において、変換手段２０４は、プロジェクター１０から、ＨＤＭＩケーブル５０を介してインターフェース２０３に入力されたイーサネットパケット（位置情報）を取り出して、操作情報に変換する手段である。変換手段２０４は、ここではＵＳＢ規格で定められたＨＩＤ（Human Interface Device）デバイスクラスを割り当てた操作情報に変換する。この操作情報は、ＨＩＤが解釈可能な形式で記述されたコマンドである。変換手段２０４は、変換した操作情報を、実行手段２０５へ供給する。
【００３０】
実行手段２０５は、変換手段２０４から供給された操作情報に基づいて、所定の処理を実行する手段である。実行手段２０５は、例えば、画像信号供給手段２０１が供給する画像信号が示す画像上の操作情報で特定される位置に、ユーザーＵが手書きした文字や図形を描画する描画処理を行う。実行手段２０５は、描画処理後の画像信号を、画像信号供給手段２０１及び表示手段２０２の各々へ供給する。また、実行手段２０５は、投写画像上の操作可能なオブジェクトを選択する操作がユーザーＵに行われたときの処理を実行する。
なお、実行手段２０５は、操作情報に基づく他の処理を実行してもよい。
【００３１】
図３は、投写システム１のハードウェア構成を示すブロック図である。
プロジェクター１０は、ＣＰＵ（Central Processing Unit）１１と、ＲＯＭ（Read Only Memory）１２と、ＲＡＭ（Random Access Memory）１３と、操作部１４と、画像処理部１５と、投写部１６と、カメラ部１７と、インターフェース１８とを備える。
ＣＰＵ１１は、ＲＯＭ１２等の記憶手段に記憶されたプログラムを、ＲＡＭ１３に読み出して実行することにより、プロジェクター１０の各部を制御するマイクロコンピューターである。ＣＰＵ１１が制御プログラムを実行することにより、図２で説明したプロジェクター１０の機能が実現する。操作部１４は、プロジェクター１０の電源のオン／オフや各種操作を行うための操作子（例えば物理キー）を備えた操作手段である。
【００３２】
画像処理部１５は、例えばＡＳＩＣ（Application Specific Integrated Circuit）等の画像処理回路を備え、プロジェクター１０が行う画像処理を司る。画像処理部１５は、ＣＰＵ１１の制御に従って、例えばＰＣ２０からインターフェース１８に入力された画像信号に対して、リサイズ処理や台形補正等の所定の画像処理を行う。
【００３３】
投写部１６は、画像処理部１５による画像処理後の画像信号に基づいて、スクリーン４０に画像を投写する。投写部１６は、光源１６１と、液晶パネル１６２と、光学系１６３と、光源制御部１６４と、パネル駆動部１６５と、光学系駆動部１６６とを有する。光源１６１は、例えばＬＥＤ（Light Emitting Diode）や半導体ダイオード等を含む固体光源で、液晶パネル１６２に光を射出する。液晶パネル１６２は、例えば透過型の液晶パネルで、光源１６１から入射した光を変調する光変調器である。液晶パネル１６２は、ＲＧＢの三原色の各色に対応して設けられる。光学系１６３は、例えばレンズやレンズ調整用の駆動回路を備え、液晶パネル１６２により変調された光（画像光）を拡大して、スクリーン４０上に投写する。光源制御部１６４は、ＣＰＵ１１の制御に従って光源１６１を駆動する。パネル駆動部１６５は、ＣＰＵ１１から供給された画像信号に基づいて液晶パネル１６２を駆動する。光学系駆動部１６６は、ＣＰＵ１１の制御に従って光学系１６３の駆動回路を駆動する。
【００３４】
カメラ部１７は、イメージセンサー（例えばＣＭＯＳセンサー又はＣＣＤセンサー）を有し、スクリーン４０を撮像する。カメラ部１７は、ＣＰＵ１１の制御に従って、例えば投写部１６が投写画像を投写可能な最大範囲を含む画角で、スクリーン４０を撮像する。
【００３５】
インターフェース１８は、ＨＤＭＩ規格に準拠したＨＤＭＩコネクターを備え、当該ＨＤＭＩコネクターに、ＨＤＭＩケーブル５０が接続される。インターフェース１８は、更に、ＨＤＭＩインターフェース（以下「ＨＤＭＩＩ／Ｆ」という。）１８１と、イーサネットインターフェース（以下「イーサネットＩ／Ｆ」という。）１８２とを備える。ＨＤＭＩＩ／Ｆ１８１は、ＨＤＭＩケーブル５０の映像信号を伝送するチャネルに対応した信号線と電気的に接続される物理的インターフェースである。ＨＤＭＩＩ／Ｆ１８１は、ＰＣ２０からの画像信号や各種制御信号等の信号が入力されると、入力された信号をＣＰＵ１１へ出力する。イーサネットＩ／Ｆ１８２は、ＨＤＭＩケーブル５０のイーサネットチャネルに対応した信号線と電気的に接続される物理的インターフェースである。ＣＰＵ１１は、イーサネットＩ／Ｆ１８２を介して位置情報を出力する。イーサネットＩ／Ｆ１８２は、位置情報が入力されると、当該位置情報を含むイーサネットパケットを生成して、ＨＤＭＩケーブル５０へ出力する。
【００３６】
ＰＣ２０は、ＣＰＵ２１と、ＲＯＭ２２と、ＲＡＭ２３と、操作部２４と、画像処理部２５と、表示部２６と、記憶部２７と、インターフェース２８とを備える。
ＣＰＵ２１は、ＲＯＭ２２等の記憶手段に記憶されたプログラムを、ＲＡＭ２３に読み出して実行することにより、ＰＣ２０の各部を制御するマイクロコンピューターである。ＣＰＵ２１が制御プログラムを実行することにより、図２で説明したＰＣ２０の機能が実現する。操作部２４は、キーボードやテンキー等の複数の操作子（例えば物理キー）を備えた操作手段である。
【００３７】
画像処理部２５は、例えばＡＳＩＣ等の画像処理回路を備え、ＣＰＵ２１の制御に従って各種の画像処理を行う。表示部２６は、例えば液晶ディスプレイであり、ＣＰＵ２１の制御に従って各種の画像（画面）を表示する。記憶部２７は、例えばハードディスク等の記憶媒体を備え、各種のデータを記憶する。記憶部２７は、内部記憶手段、外部記憶手段又はこれらの組み合わせのいずれであってもよい。
【００３８】
インターフェース２８は、ＨＤＭＩ規格に準拠したＨＤＭＩコネクターを備え、当該ＨＤＭＩコネクターに、ＨＤＭＩケーブル５０が接続される。インターフェース２８は、更に、ＨＤＭＩＩ／Ｆ２８１と、イーサネットＩ／Ｆ２８２とを備える。ＨＤＭＩＩ／Ｆ２８１は、ＨＤＭＩケーブル５０の映像信号を伝送するチャネルに対応した信号線と電気的に接続される物理的インターフェースである。ＣＰＵ２１は、ＨＤＭＩＩ／Ｆ２８１を介して、画像信号や各種制御信号等を出力する。イーサネットＩ／Ｆ２８２は、ＨＤＭＩケーブル５０のイーサネットチャネルに対応した信号線と電気的に接続される物理的インターフェースである。イーサネットＩ／Ｆ２８２は、位置情報を含むイーサネットパケットが入力されると、そのイーサネットパケットに含まれる位置情報等の情報をＣＰＵ１１へ供給する。ＣＰＵ１１は、供給された位置情報に基づいて操作情報を生成し、生成した操作情報に基づいて、表示部２６への描画処理を含む所定の処理を実行する。
【００３９】
ＰＣ２０において、画像信号供給手段２０１は、ＣＰＵ２１及び記憶部２７により実現される。表示手段２０２は、ＣＰＵ１１及び表示部２６により実現される。インターフェース２０３は、インターフェース２８により実現される。変換手段２０４は、ＣＰＵ１１及びインターフェース２８により実現される。実行手段２０５は、ＣＰＵ１１及び実行される処理に関連する各部（例えば、画像処理部２５及び表示部２６）により実現される。変換手段２０４及び実行手段２０５の各々は、例えば、専用のデバイスドライバーを実行することにより実現される。
【００４０】
プロジェクター１０において、インターフェース１０１は、インターフェース１８により実現される。画像信号入力手段１０２は、ＣＰＵ１１により実現される。投写手段１０３は、ＣＰＵ１１、画像処理部１５及び投写部１６により実現される。撮像手段１０４は、ＣＰＵ１１及びカメラ部１７により実現される。検出手段１０５は、ＣＰＵ１１及び画像処理部１５により実現される。生成手段１０６及び位置情報出力手段１０７の各々は、ＣＰＵ１１により実現される。
【００４１】
従来構成では、図８に示すようにプロジェクター１００とＰＣ２００とが有線接続される。具体的には、プロジェクター１００とＰＣ２００とのＨＤＭＩＩ／Ｆ同士が、ＨＤＭＩケーブル５００Ａで接続され、ＵＳＢインターフェース（ＵＳＢＩ／Ｆ）同士が、ＵＳＢケーブル５００Ｂで接続される。これに対し、投写システム１では、プロジェクター１０とＰＣ２０とが単一のＨＤＭＩケーブル５０で接続されることで、画像信号及び位置情報の入出力が行われる。よって、ユーザーにとっては、プロジェクター１０とＰＣ２０とをケーブルで接続するときの手間が軽減され、また、接続後においてケーブルを邪魔に感じにくくなる。更に、ユーザーは、プロジェクター１００とＰＣ２００との接続に、ＨＥＣの機能を備えた汎用のＨＤＭＩケーブルを使用可能であり、プロトコル変換等のデータの入出力に係る機能を備えたケーブルを使用しなくてよい。
【００４２】
［第２実施形態］
次に、本発明の第２実施形態を説明する。本実施形態において、上述した第１実施形態と同じ符号を付した要素は、上述した第１実施形態と同じ機能を実現する。また、上述した第１実施形態で説明した要素に対応する要素については、符号の末尾に「Ａ」を付して表す。
【００４３】
図４は、本実施形態に係る投写システム１Ａの全体構成を示す図である。投写システム１Ａは、プロジェクター１０と、スティック型ＰＣ２０Ａと、指示体３０とを備える。スティック型ＰＣ２０Ａは、スティック形状の小型のコンピューター装置で、プロジェクター１０に供給される画像信号の信号源となる情報処理装置である。投写システム１Ａでは、プロジェクター１０とスティック型ＰＣ２０Ａとが、ＨＤＭＩケーブルを用いずに直接に接続される。この接続のために、スティック型ＰＣ２０Ａの筐体Ｃには、オス形状のＨＤＭＩコネクター２８３（第１のコネクター）が設けられている。これに対し、プロジェクター１００の筐体には、メス形状のＨＤＭＩコネクター１８３（第２のコネクター）が設けられている。ＨＤＭＩコネクター１８３は、上述した第１実施形態のプロジェクター１０が備えるＨＤＭＩコネクターと同じ構成でよい。ただし、図４では、プロジェクター１０とスティック型ＰＣ２０Ａとの接続の様子を分かりやすくするため、図１とはＨＤＭＩコネクターの位置を変更して図示してある。プロジェクター１００は、接続されたスティック型ＰＣ２０Ａから供給された画像信号に応じた画像を、スクリーン４０に投写する。
【００４４】
スティック型ＰＣ２０Ａの電源は特に問わないが、例えば、ＨＤＭＩコネクター２８３及びＨＤＭＩコネクター１８３の給電線（ピン）を介して、プロジェクター１０からスティック型ＰＣ２０Ａに供給される。これに代えて又は組み合わせて、プロジェクター１０とスティック型ＰＣ２０Ａとが、給電線を備えるケーブル（例えばＵＳＢケーブル）を介して接続され、当該ケーブルを介した給電がなされてもよい。また、スティック型ＰＣ２０Ａは、電池（一次電池又は二次電池）を電源としてもよい。
【００４５】
図５は、投写システム１Ａの機能構成を示すブロック図である。
プロジェクター１０は、上述した第１実施形態と同様、インターフェース１０１と、画像信号入力手段１０２と、投写手段１０３と、撮像手段１０４と、検出手段１０５と、生成手段１０６と、位置情報出力手段１０７とを備える。インターフェース１０１は、イーサネットの規格に基づいて、ＨＤＭＩコネクター１８３を介してデータの入出力を行う。ＨＤＭＩコネクター１８３を伝送するイーサネットパケットは、イーサネットチャネルに対応した、画像信号とは別の信号線（ピン）を伝送する。即ち、イーサネットパケットが伝送する信号線は、スティック型ＰＣ２０Ａからプロジェクター１０へ供給される画像信号を含めて、画像を表す画像信号を伝送しない。位置情報出力手段１０７は、ＨＤＭＩコネクター１８３を介して位置情報を含むパケットを出力する。
【００４６】
スティック型ＰＣ２０Ａは、画像信号供給手段２０１と、インターフェース２０３Ａと、変換手段２０４と、実行手段２０５とを備える。インターフェース２０３Ａは、イーサネットの規格に基づいて、ＨＤＭＩコネクター２８３を介してデータの入出力を行う。インターフェース２０３Ａは、画像信号供給手段２０１から供給された画像信号を、ＨＤＭＩコネクター２８３を介してプロジェクター１０へ出力する。また、インターフェース２０３Ａは、ＨＤＭＩコネクター１８３を介して出力されたイーサネットパケットが入力される。
【００４７】
プロジェクター１００のＨＤＭＩＩ／Ｆ１８１は、本実施形態では、ＨＤＭＩコネクター１８３の映像信号を伝送するチャネル（イーサネットチャネル）に対応した信号線と電気的に接続される。イーサネットＩ／Ｆ１８２は、ＨＤＭＩコネクター１８３のイーサネットチャネルに対応した信号線と電気的に接続される。スティック型ＰＣ２０ＡのＨＤＭＩＩ／Ｆ２８１は、ＨＤＭＩコネクター２８３の映像信号を伝送するチャネルに対応した信号線と電気的に接続される。イーサネットＩ／Ｆ２８２は、ＨＤＭＩコネクター２８３のイーサネットチャネルに対応した信号線と電気的に接続される。
以上のように、プロジェクター１００とスティック型ＰＣ２０Ａとの接続の形態は、上述したプロジェクター１００とＰＣ２０と相違するが、これらの装置間のデータの授受については、上述した第１実施形態と同じ方法で行われればよい。
【００４８】
以上説明した投写システム１Ａによれば、プロジェクター１０とスティック型ＰＣ２０ＡとがＨＤＭＩの規格に準拠したコネクターを介して直接に接続される。よって、ユーザーにとっては、プロジェクター１０とスティック型ＰＣ２０Ａとを接続するときに、ＨＥＣの機能を備えたＨＤＭＩケーブルを用意する必要がないので、その接続の手間が軽減され、また、接続のためのケーブルを邪魔に感じにくくなる。
本実施形態では、プロジェクター１０にスティック型ＰＣ２０Ａが接続される場合を説明したが、ＨＤＭＩケーブルを用いずにプロジェクター１０に直接に接続される情報処理装置のサイズや形状は特に問わない。
【００４９】
［第３実施形態］
次に、本発明の第３実施形態を説明する。本実施形態において、上述した第１実施形態と同じ符号を付した要素は、上述した第１実施形態と同じ機能を実現する。また、上述した第１実施形態で説明した要素に対応する要素については、符号の末尾に「Ｂ」を付して表す。
【００５０】
図６は、投写システム１Ｂの機能構成を示すブロック図である。投写システム１Ｂは、プロジェクター１０Ｂと、ＰＣ２０Ｂと、指示体３０とを備える。プロジェクター１０Ｂは、上述した第１実施形態で説明したＨＤＭＩケーブル５０を介してＰＣ２０Ｂと接続され、更に、ネットワークＮＷを介してＰＣ２０Ｂと接続される。このように、プロジェクター１０ＢとＰＣ２０Ｂとは、２系統の通信経路を介して接続される。プロジェクター１０Ｂは、ＨＤＭＩケーブル５０経由、又はネットワークＮＷ経由のどちらか一方を選択して、ＰＣ２０Ｂに指示体３０の位置を表す位置情報を含むパケットを出力する。
なお、ネットワークＮＷは、ここでは、イーサネット（登録商標）の規格に従って通信を行うＬＡＮ（Local Area Network）である。ただし、ネットワークＮＷは、ＩＥＥＥ８０２．１１（Ｗｉ−Ｆｉ：登録商標）の規格等の、別の規格のネットワークであってもよい。プロジェクター１０Ｂ、及びＰＣ２０Ｂは、ここではネットワークＮＷと無線により接続されるが、有線により接続されてもよい。
【００５１】
図７は、投写システム１Ｂの機能構成を示すブロック図である。
プロジェクター１０Ｂは、インターフェース１０１と、画像信号入力手段１０２と、投写手段１０３と、撮像手段１０４と、検出手段１０５と、生成手段１０６と、位置情報出力手段１０７と、セレクター１０８と、ネットワークインターフェース１０９とを備える。
位置情報出力手段１０７は、生成手段１０６が生成した位置情報を、セレクター１０８に出力する。
【００５２】
セレクター１０８は、位置情報出力手段１０７により出力された位置情報を含むパケットを、インターフェース１０１（第１のインターフェース）、又はネットワークインターフェース１０９（第２のインターフェース）のどちらを介して出力するかを選択する手段である。セレクター１０８は、選択した一方のインターフェースに位置情報を出力する。ここにおいて、セレクター１０８は、ユーザーの操作に応じた選択をしてもよいし、ユーザーの操作とは無関係の選択をしてもよい。後者の場合、セレクター１０８は、例えば、ＨＤＭＩケーブル５０が接続され、ＨＤＭＩケーブル５０経由でＰＣ２０Ｂへのパケットの出力が可能な場合は、インターフェース１０１を選択し、それ以外の場合は、ネットワークインターフェース１０９を選択する。又は、セレクター１０８は、ネットワークＮＷ経由でＰＣ２０Ｂへのパケットの出力が可能な場合は、ネットワークインターフェース１０９を選択し、それ以外の場合は、インターフェース１０１を選択してもよい。セレクター１０８は、更に別の条件に基づいて、インターフェースを選択してもよい。このようなセレクター１０８の機能は、例えばＣＰＵ１１により実現される。
【００５３】
インターフェース１０１は、セレクター１０８から供給された位置情報を含むパケットを、ＨＤＭＩケーブル５０へ出力する。
ネットワークインターフェース１０９は、ネットワークＮＷを介してＰＣ２０Ｂと接続するインターフェースである。ネットワークインターフェース１０９は、セレクター１０８から供給された位置情報を含むパケットを、ネットワークＮＷへ出力（送信）する。
なお、ＨＤＭＩケーブル５０経由の場合と、ネットワークＮＷ経由の場合とで、伝送するパケットのプロトコルが異なる場合に対応するために、例えば、インターフェース１０１や、ネットワークインターフェース１０９がパケットを生成してもよい。
【００５４】
ＰＣ２０Ｂは、画像信号供給手段２０１と、表示手段２０２と、インターフェース２０３と、変換手段２０４と、実行手段２０５と、ネットワークインターフェース２０６とを備える。ネットワークインターフェース２０６は、ネットワークＮＷを介してプロジェクター１０Ｂと接続するインターフェースである。ネットワークインターフェース２０６は、ネットワークＮＷから位置情報を含むパケットを受信する。
【００５５】
変換手段２０４は、ＨＤＭＩケーブル５０を介してインターフェース２０３に入力された、又はネットワークＮＷを介してネットワークインターフェース２０６により受信されたパケット（位置情報）を取り出して、操作情報に変換する。
【００５６】
以上説明した投写システム１Ｂによれば、プロジェクター１０Ｂは、位置情報を含むパケットをＰＣ２０Ｂに出力するための通信経路を選択することができる。従来品のプロジェクターにも、ネットワークを介して位置情報を含むパケットを出力する機能を有するものがある。このため、プロジェクター１０Ｂによれば、従来品からの設計変更を少なくしつつ、必要に応じてＨＤＭＩケーブル５０を介した位置情報を含むパケットを出力することができる。これ以外にも、プロジェクター１０Ｂによれば、上述した第１実施形態と同等の効果を奏する。
【００５７】
本実施形態で説明した、ＨＤＭＩケーブル５０経由、又はネットワークＮＷ経由のどちらか一方を選択して、指示体３０の位置を表す位置情報を出力する機能は、上述した第２実施形態で説明したプロジェクター１０に備えられてもよい。この場合のプロジェクター１０やスティック型ＰＣ２０Ａが備えるべき構成や、実行すべき動作については、以上の説明から類推可能であり、説明を省略する。
【００５８】
本発明は、上述した実施形態と異なる形態で実施することが可能である。また、以下に示す変形例は、各々を適宜に組み合わせてもよい。
上述した第１実施形態では、ＨＤＭＩケーブル５０は、ＨＥＣの機能を備えたＨＤＭＩケーブルであった。プロジェクター１０とＰＣ２０とを接続する一のケーブルが、画像信号を伝送する第１の信号線と、位置情報を伝送する第２の信号線とを独立に備えるケーブルであれば、上述した実施形態で説明した作用によって信号の入出力が可能となる。この場合、プロジェクター１０は、位置情報を送信するためのパケット通信の通信規格に従ったプロトコル変換を行って、パケットを生成すればよい。
なお、プロジェクター１０とＰＣ２０とが行う位置情報の入出力は、パケット通信を必須とするものではなく、プロジェクター１０とＰＣ２０とを接続するケーブルが位置情報を伝送可能であればよい。
【００５９】
プロジェクター１０が、指示体３０が指示する位置を検出するための方法は、撮像手段１０４を用いる方法でなくてもよい。例えば、指示体３０が検出した位置に応じた情報を出力する機能を有していれば、プロジェクター１０が撮像手段１０４を備えなくてもよい。  また、プロジェクター１０は、外部接続されたカメラ部から撮像データを取得して、指示体３０の位置の座標を特定してもよい。また、指示体３０は、操作デバイスではなく、ユーザーＵの手や指等であってもよい。
【００６０】
プロジェクター１０は、投写画像に重ねてユーザーの手書きの画像を描画する機能や、当該投写画像に含まれるオブジェクトをユーザーが操作可能にする機能を実現するための位置情報を、ＰＣ２０へ出力していた。プロジェクター１０が出力した位置情報に基づいて実現する機能は、更に別の機能であってもよい。
【００６１】
ＰＣ２０は、スマートフォンやタブレット型コンピューター等の、ＰＣ以外の情報処理装置に置き換えられてもよい。
【００６２】
プロジェクター１０は、三原色の各色成分に対応する複数の液晶パネル（ライトバルブ）を有するものに限定されない。プロジェクター１０は、単一の液晶パネルを有していてもよい。この場合、光学フィルター等を用いて画素毎に対応する色が設定される。また、液晶パネルは、透過型に限られず、反射型であってもよい。また、プロジェクター１０は、液晶型のプロジェクターに限られず、例えば、ＤＭＤ（Digital Mirror Device）やＬＣＯＳ（Liquid Crystal On Silicon）等を用いたものであってもよい。
【００６３】
上述した実施形態において、プロジェクター１０，１０ＢやＰＣ２０，２０Ｂ、スティック型ＰＣ２０Ａが実現する各機能は、複数のプログラムの組み合わせによって実現され、又は、複数のハードウェア資源の連係によって実現されうる。当該機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリー等のコンピューター読み取り可能な記録媒体に記憶した状態で提供されてもよいし、ネットワークを介して配信されてもよい。
【００６４】
１，１Ａ，１Ｂ…投写システム、１０，１０Ｂ…プロジェクター、１０１…インターフェース、１０２…画像信号入力手段、１０３…投写手段、１０４…撮像手段、１０５…検出手段、１０６…生成手段、１０７…位置情報出力手段、１０８…セレクター、１０９，２０６…ネットワークインターフェース、１１，２１…ＣＰＵ、１２，２２…ＲＯＭ、１３，２３…ＲＡＭ、１４，２４…操作部、１５，２５…画像処理部、１６…投写部、１７…カメラ部、１８，２８…インターフェース、１８１，２８１…ＨＤＭＩＩ／Ｆ、１８２，２８２…イーサネットＩ／Ｆ、１８３，２８３…ＨＤＭＩコネクター、２０，２０Ｂ…ＰＣ、２０Ａ…スティック型ＰＣ、２０１…画像信号供給手段、２０２…表示手段、２０３…インターフェース、２０４…変換手段、２０５…実行手段、２６…表示部、２７…記憶部、３０…指示体、４０…スクリーン、５０…ＨＤＭＩケーブル。
【図１】
2015195573.tif 000003
【図２】
2015195573.tif 000004
【図３】
2015195573.tif 000005
【図４】
2015195573.tif 000006
【図５】
2015195573.tif 000007
【図６】
2015195573.tif 000008
【図７】
2015195573.tif 000009
【図８】
2015195573.tif 000010